(57)【要約】【課題】        薄手の配送情報記入シートを上紙に使うことを可能とし、回収された受領票の裏面は乾いた状態のものを提供するとともに、前記受領票の管理にインキジェットプリンタなどの水系インキで印字可能な配送伝票を提供することを課題とする。【解決手段】  基材１３の裏面側に塗布した粘着剤を剥離紙１５にて剥離可能に覆ってなる貼着シート１２の表面側に、表面にそれぞれ配送情報記入部を有する貼付票３と配達票兼受領票４とを、同一面上に並設して熱可塑性樹脂にて接着し、少なくとも前記配達票兼受領票４は、前記貼着シート１２の対応する部分に対して剥離可能とし、前記配達票兼受領票４の剥離面側にインキジェット受理層８を設け、前記インキジェット受理層８の一方の面に対接して前記貼着シート１２の対応する部分に剥離層９を設けた。【選択図】        図２ａ 
2005153317.tif 000002
【特許請求の範囲】
【請求項１】
基材の裏面側に塗布した粘着剤を剥離紙にて剥離可能に覆ってなる貼着シートの表面側に、表面にそれぞれ配送情報記入部を有する貼付票と配達票兼受領票とを、同一面上に並設して熱可塑性樹脂にて接着し、少なくとも前記配達票兼受領票は、前記貼着シートの対応する部分に対して剥離可能とし、前記配達票兼受領票の剥離面側にインキジェット受理層を設け、前記インキジェット受理層の一方の面に対接して前記貼着シートの対応する部分に剥離層を設けたことを特徴とする配送伝票。
【請求項２】
前記インキジェット受理層の他方の面に対接して、前記配達票兼受領票側に接着処理層を設けたことを特徴とする請求項１記載の配送伝票。
【請求項３】
前記貼着シートの対応部分と、前記剥離層とに対接してバリア層を設けたことを特徴とする請求項１乃至２記載の配送伝票。
【請求項４】
前記貼着シートの基材は目止め処理されていることを特徴とする請求項１乃至２記載の配送伝票。
【発明の詳細な説明】
【技術分野】
【０００１】
本発明は、配送品の配送終了後、回収された配達票兼受領票の裏面に配達日時や整理番号(配達通し番号)などの管理項目をインキジェットプリンタなどの水性インキで印字可能な配送伝票に関する。
【背景技術】
【０００２】
従来から、配送伝票に一度剥離した後は再度接着することができない擬似的に接着可能な層を設けて、受領票などを擬似的に接着（疑似接着）可能とした配送伝票が知られている。これらの配送伝票の疑似接着層は、接着糊加工や圧着糊加工または熱可塑性樹脂加工のいずれかの方式によって形成されている。このうち、接着糊加工や圧着糊加工による擬似接着方式では、受領票などを剥がし取る際、所謂捲りカールなどの対策のために厚手の配送情報記入シートを上紙に使うことを必要とし、且つ受領票を剥がした面には、水系圧着糊や弱粘系接着剤が残るためにベトツキが出る欠点があった。一方、熱可塑性樹脂加工による擬似接着方式では、配送情報記入シートの裏側に擬似接着の熱可塑性樹脂層があるため、薄手の配送情報記入シートを上紙に使うことを可能とし、且つ受領票の裏面は乾いた状態のものの提供が可能となった。しかしながら剥がした受領票の裏面には、擬似接着した熱可塑性樹脂層が残るために、溶剤系のインキを使用しないと印字が擦れ取られる不具合があった。  
【０００３】
なお、物品へ貼着する伝票と、これと別個に持ち帰られる受領票とを直接、配送される物品に積層状態に貼着して、上層の当該伝票を簡単に剥離可能とし、かつその接着面の接着力がなくなるように構成して、この剥離した伝票を物品受領票として使用するようにしたものとして、以下の公報がある。
【０００４】
【特許文献１】特開平８−３６３５９号公報
【発明の開示】
【発明が解決しようとする課題】
【０００５】
本発明は以上のような諸問題に鑑みなされたもので、薄手の配送情報記入シートを上紙に使うことを可能とし、回収された受領票の裏面は乾いた状態のものを提供するとともに、前記受領票の管理にインキジェットプリンタなどの水系インキで印字可能な配送伝票を提供することを課題とする。
【課題を解決するための手段】
【０００６】
本発明は上記課題を解決すべく、以下に掲げる構成とした。
請求項１記載の発明の要旨は、基材の裏面側に塗布した粘着剤を剥離紙にて剥離可能に覆ってなる貼着シートの表面側に、表面にそれぞれ配送情報記入部を有する貼付票と配達票兼受領票とを、同一面上に並設して熱可塑性樹脂にて接着し、少なくとも前記配達票兼受領票は、前記貼着シートの対応する部分に対して剥離可能とし、前記配達票兼受領票の剥離面側にインキジェット受理層を設け、前記インキジェット受理層の一方の面に対接して前記貼着シートの対応する部分に剥離層を設けたことを特徴とする配送伝票に関する。
また請求項２記載の発明の要旨は、前記インキジェット受理層の他方の面に対接して、前記配達票兼受領票側に接着処理層を設けたことを特徴とする請求項１記載の配送伝票に関する。
また請求項３記載の発明の要旨は、前記貼着シートの対応部分と、前記剥離層とに対接してバリア層を設けたことを特徴とする請求項１乃至２記載の配送伝票に関する。
また請求項４記載の発明の要旨は、前記貼着シートの基材は目止め処理されていることを特徴とする請求項１乃至２記載の配送伝票に関する。
【発明の効果】
【０００７】
本発明は、基材の裏面側に塗布した粘着剤を剥離紙にて剥離可能に覆ってなる貼着シートの表面側に、表面にそれぞれ配送情報記入部を有する貼付票と配達票兼受領票とを、同一面上に並設して熱可塑性樹脂にて接着し、少なくとも前記配達票兼受領票は、前記貼着シートの対応する部分に対して剥離可能とし、前記配達票兼受領票の剥離面側にインキジェット受理層を設け、前記インキジェット受理層の一方の面に対接して前記貼着シートの対応する部分に剥離層を設けたので、薄手の配送情報記入シートを上紙に使うことを可能とし、回収された受領票の裏面は乾いた状態のものを提供するとともに、前記受領票の管理にインキジェットプリンタなどの水系インキで配達日時や他の整理番号などの管理記録などを印字可能な配送伝票を得ることができる。
【発明を実施するための最良の形態】
【０００８】
以下、本発明にかかる配送伝票について添付図面に基づいて説明する。図１は、本発明にかかる配送伝票の概略的な平面図である。図２は、図１に示すＡ−Ａ線の概略的な断面図である。
【０００９】
図１および図２ａに示すように配送伝票１は、基材１３の裏面側に塗布した粘着剤を剥離紙１５にて剥離可能に覆ってなる貼着シート１２の表面側に、表面にそれぞれ配送情報記入部を有する貼付票３と配達票兼受領票４とを、同一面上に並設して熱可塑性樹脂にて接着し、少なくとも前記配達票兼受領票４は、前記貼着シート１２の対応する部分に対して剥離可能とし、前記配達票兼受領票４の剥離面側にインキジェット受理層８を設け、前記インキジェット受理層８の一方の面に対接して前記貼着シート１２の対応する部分に剥離層９を設けたものである。
【００１０】
詳しくは、配送伝票１は、基材１３の裏面側に設けられた粘着剤層１４を剥離紙１５にて剥離可能に覆ってなる貼着シート１２の表面側に、接着後に剥離可能なアンカーポリ層５およびリードポリ層６からなる熱可塑性樹脂層を介して剥離可能に接着された上紙である貼付票３および配達票兼受領票４からなる配送情報記入シートから構成され、これら貼付票３および配達票兼受領票４からなる配送情報記入シートは、同一紙片をスリット２によって区画形成したものである。
【００１１】
前記アンカーポリ層５およびリードポリ層６からなる熱可塑性樹脂層は、貼付票３並びに配達票兼受領票４を貼着シート１２の基材１３と結合するものであって、この結合は熱可塑性樹脂の溶融時の、濡れ、による接着によるもので、このような結合を、擬似接着、という。一般的には熱可塑性樹脂として低密度ポリエチレンが使用され、ポリエチレン樹脂を押出機よりＴ型ダイを通じてフィルム状に溶融状態で押出し、半溶融状態で連続的に圧着することにより達成される。
【００１２】
前記熱可塑性樹脂層をアンカーポリ層５およびリードポリ層６の二層で構成するのは、この擬似接着層の剥がし口１６を貼着シート１２側で安定的に剥がすために、熱可塑性樹脂層を貼付票３並びに配達票兼受領票４側に強く接着しておく必要がある。そのために図２ａのリードポリ層６の熱可塑性樹脂層と同種の熱可塑性樹脂層からなるアンカーポリ層５を前記貼付票３並びに配達票兼受領票４側のリードポリ層６に接する側に施してある。リードポリ層６の熱可塑性樹脂層がその溶融固化時にこれと同種の熱可塑性樹脂からなるアンカーポリ層５と相溶して一体化され、剥離時にはリードポリ層６は必ずアンカーポリ層５を設けた貼付票３並びに配達票兼受領票４側に確実に移行する。
【００１３】
図２ａにおけるインキジェット受理層８は、配送品の配送後、受領印を貰って剥がした配達票兼受領票４をデポと呼ばれる配送中継所に戻ってから整理する際、配達票兼受領票４の裏面に必要事項をインキジェットプリンタなどで印字するために、少なくとも配達票兼受領票４の裏面に接着しているポリエチレン樹脂層からなる熱可塑性樹脂層に水性系のインキで印字可能になることが必要となる。そのために、インキジェット用ＯＨＰフィルムなどに使用されるインキ吸収剤や定着剤を印刷または塗工乾燥することにより達成される。このような材料として、ポリビニルアルコール（以下ＰＶＡと略する）、各種変性ＰＶＡ、水溶性セルロース誘導体、ポリアクリル酸、ポリアクリル酸ナトリウム、ポリアクリルアミド、ポリエチレンオキサイド、ポリビニルメチルエーテル、デンプン、カゼイン、カチオン性ポリマーなどがあげられ、その少なくとも１種以上が用いられる。具体的には、カチオン変性ＰＶＡとポリアクリル酸からなる溶液や、ＰＶＡまたはアルギン酸塩の水溶性樹脂などがあげられる。
【００１４】
前記インキジェット受理層８は、配達票兼受領票４を剥がした後、対接する熱可塑性樹脂層であるリードポリ層６に転移している必要がある。このインキジェット受理層８の転移を確実にするために、貼着シート１２の基材１３との間に剥離層９を設けることにより安定的に転移させることができる。この剥離層９の材質として、シリコーン変性アクリル樹脂や、長鎖アルキルペンダント型のピーロイルなどが使用される。
【００１５】
前記インキジェット受理層８は、その材質によりその転移性は様々であり、より確実に対接する熱可塑性樹脂層であるリードポリ層６に転移させる方法として、図２ｂに示すとおり、インキジェット受理層８の剥離層９と反対面に接着処理層７を形成することにより、熱可塑性樹脂層であるリードポリ層６とインキジェット受理層８の結合が強くなり、より確実に熱可塑性樹脂層であるリードポリ層６に転移させることができる。この接着処理層７の材質として、有機チタン化合物や、イソシアネート系接着剤を有機溶媒に溶解した溶液を用いることができ、印刷または塗工乾燥することによりインキジェット受理層８と熱可塑性樹脂層であるリードポリ層６の接着性を改善できる。  
【００１６】
前記剥離層９の成膜性が不十分な場合には、インキジェット受理層８の転移安定性に欠ける面がある。その安定化には図２ｃに示すとおり、貼着シート１２の基材１３上にバリア層１０を設けることにより、剥離剤層９が基材１３に浸透することなく確実に形成されるのでインキジェット受理層８が安定的に転移させることができる。このバリア層１０の材質として、通常の印刷に用いるメジュームインキ、ＰＶＡ、澱粉溶液、スチレン−ブタジェンラテックス、アクリル系ラテックスなどが用いられる。
【００１７】
また、図２ｄに示すとおり、貼着シート１２の基材１３の全面が予め目止め処理されたものを用いても良い。つまり、基材１３の粘着剤１４が塗布された面とは反対側の面に目止め層２０を設けることにより、剥離剤層９が基材１３に浸透することなく確実に形成されるのでインキジェット受理層８が安定的に転移させることができる。この目止め層２０の材質として、ＰＶＡ、澱粉、アクリル系ラテックスまたはスチレン−ブタジェン系ラテックスなどの水溶性バインダーまたは水分散性バインダーが用いられる。また、添加剤として炭酸カルシューム、クレー、カオリンなどの顔料や染料、分散剤なども適宜添加できる。
【００１８】
なお、本発明は上述した実施の形態に限定されるものではなく、例えば、貼付票３と配達票兼受領票４の表出面に設ける配送情報記入欄の種類や配置状態が上述のものに限らず、更に、貼着シート１２の表出面側に図２に記載されている地紋印刷層１１として、種々の地紋や注意事項やお知らせなどの中印刷を施すことも可能である。また、配送伝票として常用される糊抜きや剥離紙の背割り手段などが、本発明とは無関係に適用される。
【図面の簡単な説明】
【００１９】
【図１】本発明にかかる配送伝票の概略的な平面図である。
【図２】図１に示すＡ−Ａ線の概略的な断面図である。
【符号の説明】
【００２０】
１  配送伝票
２  スリット
３  貼付票
４  配達票兼受領票
５  アンカーポリ層
６  リードポリ層
７  接着処理層
８  インキジェット受理層
９  剥離層
１０  バリア層
１１  地紋印刷層
１２  貼着シート
１３  基材
１４  粘着剤層
１５  剥離紙
１６  剥がし口
２０  目止め層
【図１】
2005153317.tif 000003
【図２】
2005153317.tif 000004
【図２ａ】
2005153317.tif 000005
【図２ｂ】
2005153317.tif 000006
【図２ｃ】
2005153317.tif 000007
【図２ｄ】
2005153317.tif 000008